(57)【特許請求の範囲】
【請求項１】
概ね平面状のアレイにおいて、概ね互いに対して平行に伸張した複数のアンテナ要素を有し、各要素が前記概ね平面状のアレイに対してある角度で傾斜する傾斜分極アンテナアレイを製造する方法において、
平面状の細長い基板（１）に間隔をおいて複数のアンテナ要素（４，６）を形成し、
その後に、前記細長い基板（１）の長手方向と交差する方向に沿って前記細長い基板（１）を折り曲げて前記複数のアンテナ要素（４，６）の間隔に対応する周期で前記長手方向に蛇行形状を形成し、前記各アンテナ要素（４，６）が前記概ね平面状のアレイに対して所定の角度をもつように配置することを特徴とする方法。
【請求項２】
前記細長い基板が折り曲げられ、前記各アンテナ要素（４，６）が、前記概ね平面状のアレイに対して約４５°の角度をもつようにすることを特徴とする請求項１に記載の方法。
【請求項３】
接地面を含むフィードネットワークが、前記平面状の細長い基板（１）上に形成されることを特徴とする請求項１又は２に記載の方法。
【請求項４】
前記細長い基板（１）は第１及び第２の表面をもち、前記接地面は前記細長い基板（１）の第１の表面に形成され、前記フィードネットワークの残りは前記細長い基板（１）の第２の表面に形成されることを特徴とする請求項３に記載の方法。
【請求項５】
前記フィードネットワークの周りに導電性のボックス（５）が設けられることを特徴とする請求項３又は４に記載の方法。
【請求項６】
前記導電性のボックス（５）は、電気的に前記フィードネットワークの接地面に接続されることを特徴とする請求項５に記載の方法。
【請求項７】
前記細長い基板（１）は、細長いバーと、接続片（３）によって前記細長い基板に接続された複数のアンテナ要素受容面（２）とを含み、そして、
前記細長い基板（１）を折り曲げる工程は、ただ、前記細長いバーと前記接続片（３）とを折り曲げることを特徴とする請求項１乃至６のいずれか１項に記載の方法。
【請求項８】
二重分極傾斜アンテナを形成する方法であって、
前記請求項１乃至７のいずれか１項に記載の方法に従って第１のアンテナアレイと、前記請求項１乃至７のいずれか１項に記載の方法に従って第２のアンテナアレイとを形成する工程と、
前記第１のアンテナアレイのアンテナ要素（４）が前記第２のアンテナアレイのアンテナ要素（６）に平行にならないように、前記第１のアンテナアレイと前記第２のアンテナアレイとを背面が向き合うように配置する工程とを有することを特徴とする方法。
【請求項９】
概ね平面状のアレイにおいて、概ね互いに対して平行に伸張し、各々が前記概ね平面状のアレイに対してある角度で傾斜する、平面状の細長い基板（１）上に間隔を置いて形成された複数のアンテナ要素（４，６）を有した傾斜分極アンテナアレイにおいて、
前記細長い基板（１）の長手方向と交差する方向に沿って前記細長い基板（１）が折り曲げられ、前記複数のアンテナ要素（４，６）の間隔に対応する周期で前記長手方向に蛇行形状を形成し、前記各アンテナ要素（４，６）が前記概ね平面状のアレイに対して所定の角度になるように配置されることを特徴とする傾斜分極アンテナアレイ。
【請求項１０】
前記細長い基板が折り曲げられ、前記各アンテナ要素（４，６）が、前記概ね平面状のアレイに対して約４５°の角度をもつことを特徴とする請求項９に記載の傾斜分極アンテナアレイ。
【請求項１１】
前記細長い基板（１）上に備えられた接地面を含むフィードネットワークをさらに有することを特徴とする請求項９又は１０に記載の傾斜分極アンテナアレイ。
【請求項１２】
前記細長い基板（１）は第１及び第２の表面をもち、前記接地面は前記細長い基板（１）の第１の表面に設けられ、前記フィードネットワークの残りは前記細長い基板（１）の第２の表面に設けられることを特徴とする請求項１１に記載の傾斜分極アンテナアレイ。
【請求項１３】
前記フィードネットワークの周りに設けられた導電性のボックス（５）をさらに有することを特徴とする請求項１１又は１２に記載の傾斜分極アンテナアレイ。
【請求項１４】
前記導電性のボックス（５）は、電気的に前記フィードネットワークの接地面に接続されることを特徴とする請求項１３に記載の傾斜分極アンテナアレイ。
【請求項１５】
前記細長い基板（１）は、細長いバーと、接続片（３）によって前記細長いバーに接続された複数のアンテナ要素受容面（２）とを含むことを特徴とする請求項９乃至１４のいずれか１項に記載の傾斜分極アンテナアレイ。
【請求項１６】
二重分極傾斜アンテナであって、
前記請求項９乃至１５のいずれか１項に記載の第１のアンテナアレイと、前記請求項９乃至１５のいずれか１項に記載の第２のアンテナアレイとを、前記第１のアンテナアレイのアンテナ要素（４）が前記第２のアンテナアレイのアンテナ要素（６）に平行にならないように、前記第１のアンテナアレイと前記第２のアンテナアレイとを背面が向き合うように設けたことを特徴とする二重分極傾斜アンテナ。
【発明の詳細な説明】
従来の技術
傾斜した分極アンテナアレイは、概ね互いに平行となるように構成され、アンテナの全体的な構造に関してはある角度をもった複数のアンテナ要素を有している。従来、そのようなアンテナアレイは、複数の個々のアンテナ要素を別々の基板上に形成し、それらの基板を互いが要求されている角度をもつようにして１つのアセンブリにマウントし、それらの要素をフィードネットワークと地面に接続することにより、形成される。これは、数多くの別々のパーツをつくり、組み立てるために、費用がかかり、また、時間の要する製造方法である。
発明の要約
本発明を１つの側面から見ると、傾斜分極アンテナアレイを製造する方法は、概ね平面状の基板上に複数のアンテテ要素を形成する工程と、その後に、前記基板を折り曲げ、前記各アンテナ要素が所定の角度をもつように配置する工程とを有している。
本発明に従う方法を用いれば、全てのアンテナ要素が単一の概ね平面状の基板にまず形成される。通常、その基板は、銅或いは他の金属の層を含み、これがエッチングされるか、さもなければ成形されて前記要素を形成する。或いは、それらの要素が絶縁基板上に蒸着されるようにしても良い。その後、基板は折り曲げられ、それらの要素が全て、要求されている角度になる。それゆえ、基板が折り曲げられたとき、これは非常に困難なことであるが、アンテナ要素を形成する必要はない。さらに、個々に複数のアンテナを形成し、これらを別々に従来技術で要求されていたようにマウントする必要はない。それゆえに、本発明の方法に従えば、従来の方法を用いる場合と比べて、より簡単に、より安価にアンテナアレイを製造することができる。
本発明を２つめの側面から見ると、傾斜分極アンテナアレイは、基板上に形成された複数のアンテナ要素を有し、その基板が折り曲げられ、各アンテナ要素が互いに平行になり、アンテナ構造に対して所定の角度をもつ。
その基板は概ね蛇行形状になるように折り曲げられることが好ましい。
個々のアンテナ要素は個々に離散的なフィードネットワークに接続される一方、基板が折り曲げられる前にそのフィードネットワークが基板上に蒸着されることには利点がある。そのフィードネットワークは、接地面を含んでいる。その接地面とフィードネットワークの残りとは基板の同じ側或いは反対側に設けられても良い。アンテナ要素は放射要素のタイプに依存して基板のいずれかの側に形成される。例えば、パッチ放射要素はフィードネットワークと同じ側の基板上に形成される一方、双極放射要素は通常接地面と同じ側に形成されるであろう。
アンテナ要素が形成される基板の領域が、基板が折り曲げられ平面状のアンテナ要素を与えた後も概して平面状であることには利点がある。それゆえに、基板は、主縦方向部或いはサイドバーを、細い接続部によってそのサイドバーに接続された複数のアンテナ要素とともに含み、そして、基板を折り曲げる工程は、ただ、接続部或いはサイドバーを折り曲げる工程を含むことは好ましい。このようにすることで、その要素面は折り曲げられない。
基板がフィードネットワークを含む場合、これが導電性のボックスによって実質的に取り囲まれることには利点がある。これによって、フィードネットワークが遮蔽されるのである。この場合、導電性のボックスは、接地面に接続されることが好ましい。
各アンテナ要素の主アンテナ構造に対する角度が４５°であるように、アンテナアレイが形成されることが好ましい。
二重分極傾斜アンテナアレイが必要とされる場合、これには、２つのアレイのアンテナ要素が必要となり、これらのアレイの１つにおける各アンテナ要素は互いに対して平行であり、異なるアレイのアンテナ要素は互いに対して平行ではなく、本発明の方法に従って製造される２つのアンテナアレイは、背面が向き合うように配置されて形成される。
【図面の簡単な説明】
図１は、基板を折り曲げる前の、アンテナ要素アレイの側面図である。
図２は、折り曲げ後の、アンテナ要素を含む基板の平面図である。
図３は、アンテナアレイの断面図である。
図４は、二重分極アンテナアレイの平面図である。
好適な実施形態の詳細な説明
図１は、本発明において用いられる基板の側面を示している。その基板は概ね平面状であり、それは、サイドバー１と、サイドバー１に細い接続部３によって接続された複数の要素面２とを含んでいる。その基板は、１面或いは両面に形成される典型的には銅のような金属層との絶縁基板である。フィードネットワークへの導電パターンは、フォトエッチングによってサイドバー１の一面に形成される。サイドバー１の反対の面には、接地面への導電パターンが同様の技術を用いて形成される。放射要素も、同様の技術を用いて各要素面２に形成される。その放射要素は、要素のタイプに依存して、その基板のいずれかの側に形成できる。例えば、その放射面は、パッチ要素のためにフィードネットワークと同じ基板の側に形成しても良いし、双極要素のために反対側に形成しても良い。
放射要素と、フィードネットワークと、接地面を基板に形成した後、サイドバー１は図２に示すように蛇行形状に折り曲げられる。これによって、基板の要素面２が所定の角度をもつように配置され、各要素面２上のアンテナ要素４が互いに関して所定の角度をもつような構成になる。ただサイドバー１だけが折り曲げれられ、要素面２がただ細い接続部３によってサイドバー１に接続されているだけなので、要素面２と要素面２に設けられたアンテナ要素４は、概ね平面の状態を維持する。
図３に示されているように、基板は導電性ボックス５に設けられ、導電性ボックス５内にフィードネットワークを含むサイドバー１が配置されるようになる。ボックス５は電気的には接地面に接続され、基板の接続部３、要素面２、アンテナ要素４はボックスの外側へと突出している。接地された導電性ボックス５はフィードネットワークを遮蔽し、インタフェアレンスを最小化している。
図４に示されているように、２つのアンテナアレイがその背面側が向き合って２つのアレイのアンテナ要素を与えるように構成しても良く、１つのアレイにおける各要素４は互いに平行になっており、もう１つのアレイにおけるアンテナ要素６とは異なる角度をもつようになっており、各要素６は互いに平行になっている。この構成により、二重分極アンテナアレイが与えられる。
【図１】
0003932056.tif 000002
【図２】
0003932056.tif 000003
【図３】
0003932056.tif 000004
【図４】
0003932056.tif 000005